(57)【特許請求の範囲】
【請求項１】
基礎に対して柱脚金具を連結固定し、この柱脚金具に設けたホゾ部を柱の底部に設けたホゾ穴に挿入し、ホゾ部に形成した差込孔とこれに連通する柱に形成した係止孔とに係止体を差し込むことでホゾ部と柱を連結する柱脚金具を用いた柱の連結構造において、前記柱脚金具は、前記基礎に対して連結固定可能な金具本体の上部に、前記ホゾ部を立設状態に設け、このホゾ部に、前記差込孔と、この差込孔の孔方向と直交する孔方向となる第二差込孔とを形成し、前記柱は、底部に、前記柱脚金具のホゾ部を挿入した際にホゾ部の全周を隠蔽する前記ホゾ穴を形成し、この柱の周面に、前記係止孔と、この係止孔を前記ホゾ部の差込孔と連通させた際に前記第二差込孔と連通し且つこの係止孔の孔方向と直交する孔方向となる第二係止孔とを、夫々前記ホゾ穴と連通状態にして形成し、この第二係止孔と近接若しくは連設状態に直交配設し且つこの第二係止孔の孔方向と直交する孔方向となる第三係止孔を、柱の周面であって前記ホゾ穴のない範囲に形成して、この第三係止孔に差し込んだ第三係止体と前記第二係止孔に差し込んだ第二係止体とが近接若しくは当接状態で直交配設するように構成し、前記柱脚金具に設けたホゾ部を前記柱の底部に設けたホゾ穴に挿入して前記差込孔と前記係止孔とに前記係止体を差し込んだ際、連通する前記第二係止孔と前記第二差込孔とに第二係止体を差し込むと共に、前記第三係止孔に第三係止体を差し込むことでホゾ部と柱を連結する構造としたことを特徴とする柱脚金具を用いた柱の連結構造。
【請求項２】
前記第三係止孔は、前記第二係止孔の少なくとも下方に近接若しくは連設状態に配設して、この第三係止孔に差し込んだ前記第三係止体が、前記第二係止孔に差し込んだ前記第二係止体の下方に近接若しくは当接状態で直交配設するように構成したことを特徴とする請求項１記載の柱脚金具を用いた柱の連結構造。
【請求項３】
前記第三係止孔は、前記第二係止孔の上方と下方に近接若しくは連設状態に配設して、この上下の第三係止孔に差し込んだ前記各第三係止体が、前記第二係止孔に差し込んだ前記第二係止体を上下から挟み込むようにして近接若しくは当接状態で直交配設するように構成したことを特徴とする請求項１，２のいずれか１項に記載の柱脚金具を用いた柱の連結構造。
【請求項４】
前記柱脚金具は、前記金具本体の上部に板状若しくは方形状の前記ホゾ部を立設状態に設け、このホゾ部の正面部に前記差込孔を多数形成すると共に、このホゾ部の側面部に前記差込孔の孔方向と直交する孔方向となる前記第二差込孔を形成したことを特徴とする請求項１〜３のいずれか１項に記載の柱脚金具を用いた柱の連結構造。
【請求項５】
前記第二差込孔と、この第二差込孔に差し込む前記第二係止体とのいずれか一方若しくは双方に、第二差込孔に第二係止体を差し込み固定可能な固定手段を設けたことを特徴とする請求項１〜４のいずれか１項に記載の柱脚金具を用いた柱の連結構造。
【請求項６】
前記固定手段は、前記第二差込孔若しくは前記第二係止体に螺子部を設けて、この第二差込孔に第二係止体を差し込んで螺着固定する構成としたことを特徴とする請求項５記載の柱脚金具を用いた柱の連結構造。
【発明の詳細な説明】
【技術分野】
【０００１】
本発明は、柱脚金具を用いた柱の連結構造に関するものである。
【背景技術】
【０００２】
基礎と柱を連結するために、従来から柱脚金具と称される金具が使用されている（例えば、特許文献１参照。）。
【０００３】
この特許文献１を簡単に説明すると、基礎上に突出するアンカーボルトに連結するアンカーボルト連結部を下部に設け、前記基礎上に立設させる柱の底部に形成した割溝に挿入する支持プレートを上部に設けて成ると共に、前記支持プレートには、この支持プレートを前記柱の割溝に挿入した際に、柱に設けられたピン係止孔と連通するピン差込孔が設けられていて、連通させたピン係止孔とピン差込孔とに前記柱の側方からドリフトピンを打ち込んで挿通係止することでこの支持プレートに柱が連結される構成である。
【０００４】
また、支持プレートは、柱の横幅と同等の横幅を有するものとされ、柱底部の割溝も、柱の横幅いっぱいに形成されて底部付近の両側面にまで形成されている（柱底部の両側面の割溝から支持プレートの側縁部が露出する構成とされている。）。
【０００５】
また、一方、特許文献２のような柱脚金具も従来から実施されている。
【０００６】
この特許文献２を簡単に説明すると、基礎上に突出するアンカーボルトに連結するアンカーボルト連結部を下部に設け、前記基礎上に立設させる柱の底部に形成したホゾ穴に挿入するホゾパイプを上部に設けて成ると共に、前記ホゾパイプには、このホゾパイプを前記柱のホゾ穴に挿入した際に、柱に設けられたピン係止孔と連通するピン差込孔が設けられていて、連通させたピン係止孔とピン差込孔とに前記柱の側方からドリフトピンを打ち込んで挿通係止することでこのホゾ部に柱を連結することができる構成である。
【先行技術文献】
【特許文献】
【０００７】
【特許文献１】特開２００２−１１５３３９公報
【特許文献２】特開２００２−２９４８７５号公報
【発明の概要】
【発明が解決しようとする課題】
【０００８】
上記特許文献１のような柱脚金具の場合は、支持プレートの横幅が柱の横幅と同等であるために、ドリフトピンの打ち込み可能範囲が広範囲に存在し、ドリフトピンの打ち込み数を十二分に確保して強固に柱を連結することが可能であるが、その反面使用する柱の底部に両側面にまで及ぶ割溝を形成するため（柱底部を割溝で分断するため）、この柱底部の強度落ちが懸念される。
【０００９】
一方、上記特許文献２のような柱脚金具の場合は、使用する柱は底部を分断することなく、柱脚金具のホゾパイプの全周囲を隠蔽する竪穴形のホゾ穴を形成する構成であるので、たとえ断面積の小さい柱であっても特許文献１で使用する柱より耐力的に有利であるが、その反面ホゾパイプはドリフトピンの打ち込み可能範囲が狭いために、ドリフトピンの打ち込み数を多くすることができず、特許文献１ほどの柱連結強度は望めない。
【００１０】
本発明は、このような従来の柱脚金具の現状に鑑み、連結する柱の底部を上記特許文献２のように耐力的に有利な構成としながらも、ドリフトピンのような係止体の差し込み数を特許文献１と同等に確保することも可能となる画期的な柱脚金具を用いた柱の連結構造を提供するものである。
【課題を解決するための手段】
【００１１】
添付図面を参照して本発明の要旨を説明する。
【００１２】
基礎１に対して柱脚金具Ａを連結固定し、この柱脚金具Ａに設けたホゾ部３を柱Ｂの底部に設けたホゾ穴６に挿入し、ホゾ部３に形成した差込孔４とこれに連通する柱Ｂに形成した係止孔７とに係止体10を差し込むことでホゾ部３と柱Ｂを連結する柱脚金具を用いた柱の連結構造において、前記柱脚金具Ａは、前記基礎１に対して連結固定可能な金具本体２の上部に、前記ホゾ部３を立設状態に設け、このホゾ部３に、前記差込孔４と、この差込孔４の孔方向と直交する孔方向となる第二差込孔５とを形成し、前記柱Ｂは、底部に、前記柱脚金具Ａのホゾ部３を挿入した際にホゾ部３の全周を隠蔽する前記ホゾ穴６を形成し、この柱Ｂの周面に、前記係止孔７と、この係止孔７を前記ホゾ部３の差込孔４と連通させた際に前記第二差込孔５と連通し且つこの係止孔７の孔方向と直交する孔方向となる第二係止孔８とを、夫々前記ホゾ穴６と連通状態にして形成し、この第二係止孔８と近接若しくは連設状態に直交配設し且つこの第二係止孔８の孔方向と直交する孔方向となる第三係止孔９を、柱Ｂの周面であって前記ホゾ穴６のない範囲に形成して、この第三係止孔９に差し込んだ第三係止体12と前記第二係止孔８に差し込んだ第二係止体11とが近接若しくは当接状態で直交配設するように構成し、前記柱脚金具Ａに設けたホゾ部３を前記柱Ｂの底部に設けたホゾ穴６に挿入して前記差込孔４と前記係止孔７とに前記係止体10を差し込んだ際、連通する前記第二係止孔８と前記第二差込孔５とに第二係止体11を差し込むと共に、前記第三係止孔９に第三係止体12を差し込むことでホゾ部３と柱Ｂを連結する構造としたことを特徴とする柱脚金具を用いた柱の連結構造に係るものである。
【００１３】
また、前記第三係止孔９は、前記第二係止孔８の少なくとも下方に近接若しくは連設状態に配設して、この第三係止孔９に差し込んだ前記第三係止体12が、前記第二係止孔８に差し込んだ前記第二係止体11の下方に近接若しくは当接状態で直交配設するように構成したことを特徴とする請求項１記載の柱脚金具を用いた柱の連結構造に係るものである。
【００１４】
また、前記第三係止孔９は、前記第二係止孔８の上方と下方に近接若しくは連設状態に配設して、この上下の第三係止孔９に差し込んだ前記各第三係止体12が、前記第二係止孔８に差し込んだ前記第二係止体11を上下から挟み込むようにして近接若しくは当接状態で直交配設するように構成したことを特徴とする請求項１，２のいずれか１項に記載の柱脚金具を用いた柱の連結構造に係るものである。
【００１５】
また、前記柱脚金具Ａは、前記金具本体２の上部に板状若しくは方形状の前記ホゾ部３を立設状態に設け、このホゾ部３の正面部に前記差込孔４を多数形成すると共に、このホゾ部３の側面部に前記差込孔４の孔方向と直交する孔方向となる前記第二差込孔５を形成したことを特徴とする請求項１〜３のいずれか１項に記載の柱脚金具を用いた柱の連結構造に係るものである。
【００１６】
また、前記第二差込孔５と、この第二差込孔５に差し込む前記第二係止体11とのいずれか一方若しくは双方に、第二差込孔５に第二係止体11を差し込み固定可能な固定手段13を設けたことを特徴とする請求項１〜４のいずれか１項に記載の柱脚金具を用いた柱の連結構造に係るものである。
【００１７】
また、前記固定手段13は、前記第二差込孔５若しくは前記第二係止体11に螺子部14を設けて、この第二差込孔５に第二係止体11を差し込んで螺着固定する構成としたことを特徴とする請求項５記載の柱脚金具を用いた柱の連結構造に係るものである。
【発明の効果】
【００１８】
本発明は上述のように構成したから、耐力的に有利なホゾ穴を有する柱を採用でき、しかも、ホゾ部の差込孔と柱の係止孔とに係止体を差し込むだけでなく、ホゾ部の第二差込孔と柱の第二係止孔とにも第二係止体を差し込んでホゾ部と柱の高い連結強度を確保でき、その上、柱のホゾ穴のない範囲にも第三係止孔を介して第三係止体を差し込んで柱とホゾ部とを連結でき、従って耐力的に有利な柱を、係止体だけでなく第二係止体と第三係止体をも用いてホゾ部に極めて強固に連結することができる実用性に優れた画期的な柱脚金具を用いた柱の連結構造となる。
【００１９】
また、請求項２，３記載の発明においては、柱が柱脚金具から上方へ抜け外れようとする外力に対して強い耐力を発揮でき、特に請求項３記載の発明においては、柱が柱脚金具に対し下方へ移動しようとすることも阻止されるので、一層高い連結強度を発揮する極めて実用性に優れた柱脚金具を用いた柱の連結構造となる。
【００２０】
また、請求項４記載の発明においては、多数の差込孔に多数の係止体を差し込んでホゾ部と柱を高い連結強度で連結でき、これに加えて第二係止体と第三係止体による連結強度が発揮されてホゾ部と柱を極めて強固に連結できる一層実用性に優れた柱脚金具を用いた柱の連結構造となる。
【００２１】
また、請求項５記載の発明においては、第二係止体がホゾ部の一部として確実に機能するため、第二係止体と第三係止体とによるホゾ部と柱との連結強度が一層向上することになる極めて実用性に優れた柱脚金具を用いた柱の連結構造となる。
【００２２】
また、請求項６記載の発明においては、第二係止体を第二差込孔に対して簡単に差し込み固定できる一層実用性に優れた柱脚金具を用いた柱の連結構造となる。
【図面の簡単な説明】
【００２３】
【図１】実施例１の柱脚金具を示す斜視図である。
【図２】実施例１の柱脚金具を基礎に連結固定しようとする状態を示す説明斜視図である。
【図３】図２に続いて、基礎に連結固定した柱脚金具のホゾ部を柱のホゾ穴に挿入しようとする状態を示す説明斜視図である。
【図４】図３に続いて、柱脚金具のホゾ部に柱の底部を連結固定した状態（実施例１の柱脚金具と柱の連結状態）を示す説明斜視図である。
【図５】図４の説明正断面図である。
【図６】実施例２の柱脚金具と柱の連結状態を示す説明正断面図である。
【発明を実施するための形態】
【００２４】
好適と考える本発明の実施形態を、図面に基づいて本発明の作用を示して簡単に説明する。
【００２５】
本発明の柱Ｂは、底部に、前記柱脚金具Ａのホゾ部３を挿入した際にホゾ部３の全周を隠蔽する前記ホゾ穴６を形成している。即ち、本実施例の柱Ｂの底部は、上記特許文献２と同様に耐力的に有利なホゾ穴６を有している。
【００２６】
本発明の柱脚金具Ａの金具本体２を基礎１に対して連結固定し、柱Ｂの底部のホゾ穴６に金具本体２の上部に立設するホゾ部３を挿入すると、柱Ｂの底部がホゾ部３の全周を隠蔽することになると共に、基礎１上若しくは基礎１上に設置された土台上に柱脚金具Ａを介して柱Ｂが立設することになる。
【００２７】
この際、ホゾ部３に形成されている差込孔４と柱Ｂの周面に形成されている係止孔７とを連通させると、ホゾ部３に形成されている前記差込孔４と直交する孔方向の第二差込孔５と、柱Ｂの周面に形成されている前記係止孔７の孔方向と直交する孔方向の第二係止孔８とが連通状態となる。
【００２８】
この連通させた差込孔４と係止孔７とに係止体10を差し込むことでこのホゾ部３と柱Ｂとを連結するが、本発明では、この際に連通状態となっている第二差込孔５と第二係止孔８とにも第二係止体11を差し込むと共に、柱Ｂの周面に形成されている前記第二係止孔８の孔方向と直交する孔方向の第三係止孔９にも第三係止体12を差し込む。
【００２９】
すると、差込孔４と係止孔７とに係止体10を差し込んだことによる従来の柱脚金具を用いた柱の連結構造と同等の連結強度に加えて、この係止体10の差し込み方向と直交する方向に第二係止孔８を介して第二係止体11を差し込んだためにこの第二係止孔８の存する柱Ｂの他の周面もホゾ部３に連結されて一層強固な連結強度が発揮されることになる。
【００３０】
更に、第二係止孔８（と第二差込孔５）に差し込んだ第二係止体11と、第三係止孔９に差し込んだ第三係止体12とが柱Ｂの前記ホゾ穴６のない範囲で近接若しくは当接状態で直交配設することとなり、この際、第二係止体11が、ホゾ部３の第二差込孔５に差し込まれることによって実質的にホゾ部３の一部となっているために、この第二係止体11に対して近接若しくは当接状態で直交配設している第三係止体12がホゾ部３に差し込まれることと同等の連結機能が発揮されることになる。即ち、本発明によれば、実質的に柱Ｂのホゾ穴６のない範囲（ホゾ穴６に挿入されたホゾ部３が存在しない範囲）にも第三係止体12を差し込んで柱Ｂとホゾ部３とを連結できることとなるので、係止体10と第二係止体11と第三係止体12とによる極めて高い連結状態が実現することになる。
【００３１】
従って、本発明によれば、上記特許文献２と同様に柱Ｂの底部が耐力的に有利なホゾ穴６を有する構造でありながら、係止体10だけでなく第二係止体11と第三係止体12とを差し込んで連結可能であるために、ホゾ部３と柱Ｂを上記特許文献１や特許文献２以上の高い連結強度で連結することができる。
【００３２】
また、例えば、前記第三係止孔９は、前記第二係止孔８の少なくとも下方に近接若しくは連設状態に配設して、この第三係止孔９に挿通した前記第三係止体12が、前記第二係止孔８に挿通した前記第二係止体11の下方に近接若しくは当接状態で直交配設するように構成すれば、柱Ｂに、ホゾ部２に対して上方へ抜け外れようとする外力が加わった際に、柱Ｂと共に第三係止体13が上動しようとすることがその上方に存する第二係止体11によって阻止されることになる。従って、柱Ｂが上方へ抜け外れようとする外力に対する強い耐力を発揮することになる。
【００３３】
また、例えば、前記柱脚金具Ａは、前記金具本体２の上部に板状若しくは方形状の前記ホゾ部３を立設状態に設け、このホゾ部３の正面部に前記差込孔４を多数形成すると共に、このホゾ部３の側面部に前記第二差込孔５を形成すれば、多数の差込孔４に多数の係止体10を差し込んでホゾ部３と柱Ｂを高い連結強度で連結でき、これに第二係止体11と第三係止体12による連結強度も発揮されて極めて高い連結状態が実現することになる。
【００３４】
また、例えば、前記第二差込孔５と、この第二差込孔５に差し込む前記第二係止体11とのいずれか一方若しくは双方に、第二差込孔５に第二係止体11を差し込み固定可能な固定手段13を設ければ、固定手段13により第二係止体11が第二差込孔５に差込固定されて抜け外れることがないため、第二係止体11がホゾ部３の一部として確実に機能することになる。
【実施例１】
【００３５】
本発明の具体的な実施例１について図１〜図５に基づいて説明する。
【００３６】
本実施例は、基礎１に対して柱脚金具Ａを連結固定し、この柱脚金具Ａを介して基礎１上に柱Ｂを立設状態に連結固定する柱脚金具Ａを用いた柱の連結構造に係るものである。
【００３７】
先ず、本実施例の柱脚金具Ａについて説明すると、金具本体２の下部に、基礎１上に突出するアンカーボルト15に連結可能なアンカーボルト連結部16を設け、金具本体２の上部に、柱Ｂの底部に設けたホゾ穴６に挿入可能なホゾ部３を設けている。
【００３８】
具体的には、金具本体２は、下部に、基礎１の上面若しくは基礎１の上面に設置された土台の上面に直接載置当接可能な長方形平板状の載置板部17を備え、この載置板部17の上面に、板状の支持体22を複数立設状態に付設し、この複数の支持体22を介して載置板部17の上方に載置板部17と同形状の支承板部21を支持固定している。また、この支承板部21は、載置板部17と平行関係となるように複数の前記支持体22で支持固定して、この支承板部21の上面に柱Ｂの底部を載置支承し得るように構成している。
【００３９】
また、金具本体２は、前記支承板部21の上面に、この支承板部21の板面と直交する方向に板面を有する正方形平板状の前記ホゾ部３を立設状態に突設した形状に構成している。
【００４０】
また、本実施例のホゾ部３について更に具体的に説明すると、上記特許文献１の支持プレートのような薄平板よりも厚みがある平板状に形成し、このホゾ部３を、その板面（平面視で長辺方向に存する板面）が支承板部21の長辺部と平行となるようにして支承板部21の上面に立設すると共に、平面視で支承板部21に対して同心状に配置している。
【００４１】
また、このホゾ部３は、その一側板面を正面部とした際に、この正面部の複数箇所（図面では七箇所）に、このホゾ部３をその板厚方向に貫通して背面部（他側板面）まで至る差込孔４を形成して、ホゾ部３を柱Ｂのホゾ穴６に挿入してこの差込孔４と柱Ｂに形成した係止孔７とを連通させると、この連通させた差込孔４と係止孔７とに係止体10としてのドリフトピン（以下、ドリフトピン10と称す。）を挿通し得るように構成している。
【００４２】
従って、このように厚みを持たせた平板状のホゾ部３の板厚方向にドリフトピン10を挿通させる構成としたことにより、柱Ｂ（ドリフトピン10）を介してホゾ部３に伝わる地震や風などによる外力（水平方向のせん断力）を、ホゾ部３の長辺方向の平板面だけでなく、ホゾ部３の厚み方向（短辺方向）の平板面でも良好に受けてこの外力に対する抵抗力を発揮することができる。即ち、本実施例の柱脚金具Ａによれば、厚みのない上記特許文献１の薄平板状支持プレートや、湾曲板面で外力を受ける上記特許文献２のホゾパイプに比べて、このような外力への強力な抵抗力を発揮することができる構成としている。
【００４３】
また、この複数の差込孔４は、その孔径寸法を、この差込孔４に差し込んで挿通させるドリフトピン10の外径寸法よりもやや径大に設定して、この差込孔４に対してドリフトピン10を抵抗なく差し込み挿通させることができるように構成している。
【００４４】
また、このホゾ部３の左右側面部（ホゾ部３の板厚方向の側面部）に、前記差込孔４の孔方向と直交する孔方向となる（ホゾ部３の板幅方向が孔方向となる）第二差込孔５を、この各側面部の複数箇所に形成している（図面では、各側面部の上部と中ほどの二箇所に第二差込孔５を形成している。）。
【００４５】
また、この第二差込孔５は、ホゾ部３の板幅方向に貫通しない孔形状とすると共に、内周面に固定手段13としての螺子部14（雌螺子部）を有する螺子孔に形成して、この第二差込孔５に第二係止体11として採用したボルト（以下、ボルト11と称す。）の先端の螺子部14（雄螺子部）を差し込んで螺着固定し得るように構成している。即ち、合計四箇所の各第二差込孔５にボルト11を螺着固定することによって、四本のボルト11がホゾ部３の一部として機能するように構成している。
【００４６】
尚、この第二差込孔５は、ホゾ部３の側面部の一箇所にだけ形成する構成としても良いが、本実施例のように複数箇所に形成した方が柱Ｂの連結強度が向上すると共に、後述する第三係止体12を柱Ｂの長辺面のホゾ穴６のない範囲に均等に差し込みできることになるので好ましい。また、固定手段13は、本実施例とは異なる他の構造であっても良いし、第二差込孔５と第二係止体11とのいずれか一方にだけ設ける構成としても良い。
【００４７】
また、本実施例の前記アンカーボルト連結部16は、前記アンカーボルト15が挿通される連結孔18を金具本体２下部の前記載置板部17の四隅部に夫々上下貫通状態にして設け、この連結孔18に挿通して載置板部17の上方（前記支承板部21の下方）に突出させた各アンカーボルト15に、載置板部17の上方から六角ナット19を螺着することでアンカーボルト15（基礎１）と金具本体２とを連結可能な構成としている。図中符号20は座金である。
【００４８】
一方、図示した基礎１には、前記アンカーボルト連結部16の四隅（四箇所）の連結孔18に対応させて柱Ｂの連結位置に四本のアンカーボルト15が突出するように構成している。
【００４９】
従って、四本のアンカーボルト15に対して柱脚金具Ａを四箇所で確固に連結固定可能なアンカーボルト連結部16を構成している。
【００５０】
次に、本実施例の柱Ｂについて説明すると、断面長方形状の角柱を採用している。
【００５１】
また、この柱Ｂの底部には、前記柱脚金具Ａのホゾ部３を挿入した際にホゾ部３の全周を隠蔽する（ホゾ部３が柱Ｂの周面から露出することのない）竪穴状であって、且つホゾ部３の形状に対応した角穴状の前記ホゾ穴６を形成している。
【００５２】
また、この柱Ｂの周面に、前記ホゾ部３の差込孔４と連通させる係止孔７と、この係止孔７を差込孔４と連通させた際に前記ホゾ部３の前記第二差込孔５と連通し且つこの係止孔７の孔方向と直交する孔方向となる第二係止孔８とを、夫々前記ホゾ穴６と連通状態にして形成している。
【００５３】
具体的には、柱Ｂの長辺方向の周面に、前記ホゾ穴６に前記ホゾ部３を挿入して柱Ｂの底部を前記支承板部21に載置支承した際に前記各差込孔４と連通する係止孔７を各差込孔４に位置を合わせて複数箇所（図面では七箇所）に形成している。
【００５４】
また、柱Ｂの短辺方向の周面に、係止孔７と差込孔４とを連通させた際に前記第二差込孔５と連通し且つこの係止孔７の孔方向と直交する孔方向となる第二係止孔８を、各第二差込孔５に位置を合わせて複数箇所（図面では二箇所）に形成している。
【００５５】
即ち、ホゾ穴６に前記ホゾ部３を挿入して柱Ｂを支承板部21に載置するだけで、差込孔４と係止孔７とが連通状態となると共に、第二差込孔５と第二係止孔８とが連通状態となるように構成している。
【００５６】
そして、この連通させた各差込孔４と各係止孔７とに前記柱Ｂの側方からドリフトピン10を差し込んで（打ち込んで）挿通（圧入係止）すると共に、連通させた各第二差込孔５と各第二係止孔８とにボルト11を差し込んで螺着することで、このホゾ部３と柱Ｂを連結し得るように構成している。
【００５７】
また、柱Ｂの長辺方向の周面に、前記第二係止孔８と連設状態に直交配設し且つこの第二係止孔８の孔方向と直交する孔方向となる（前記係止孔７と平行なホゾ部３の板厚方向が孔方向となる）第三係止孔９を、前記ホゾ穴６のない左右端部寄り位置に形成して、この第三係止孔９に差し込んだ第三係止体12としてのドリフトピン（以下ドリフトピン12と称す。）と前記第二係止孔８に差し込んだボルト11とが当接状態で直交配設するように構成している。
【００５８】
更に具体的には、前記第三係止孔９は、前記ホゾ部３をその板厚方向に貫通する貫通孔に形成すると共に、前記第二係止孔８の上方と下方に連設状態に配設して、この上下の第三係止孔９に差し込んで挿通（圧入係止）した前記各ドリフトピン12が、前記第二係止孔８に差し込み螺着してホゾ部３の一部として機能している前記ボルト11を上下から挟み込むようにして当接状態で直交配設するように構成している。
【００５９】
このように構成したことにより、建物は、地震や風などの外力を受けると、柱Ｂの底部が柱脚金具Ａを支点に回転しようとして例えば図５の柱Ｂの一側（左側）が上動し、反対側（右側）が下動しようとするが、この際に、柱Ｂの一側ではボルト11の下方に位置しているドリフトピン12がこの一側の上動を阻止するように抵抗力を発揮し、柱Ｂの反対側ではボルト11の上方に位置しているドリフトピン12がこの反対側の下動を阻止するように抵抗力を発揮することになるので、極めて高い柱Ｂの連結強度を発揮することになる。
【００６０】
尚、本実施例では、第二係止孔８と第三係止孔９とを連設状態に設けて、ボルト11とドリフトピン12とが当接状態で直交配設するように構成した場合を示したが、第二係止孔８と第三係止孔９とが非連設状態に形成されてボルト11とドリフトピン12とが近接配設するように構成しても良い。このように構成した場合、ボルト11とドリフトピン12とが直接当接する構成に比べるとやや劣るものの、上記と同様の抵抗作用が発揮される。
【００６１】
次に、このように構成した本実施例の柱脚金具を用いた柱の連結方法（基礎１と柱Ｂの連結方法）を説明する。尚、図面は、基礎１上に直接柱Ｂを立設する場合を示したが、基礎１上に土台を設置し、この土台上に柱Ｂを立設する場合にも本実施例は使用可能である（土台上に柱Ｂを立設する場合は、アンカーボルト15を土台を貫通させて上方へ突出させ、土台の上面に載置板部17を直接載置して柱脚金具Ａをアンカーボルト15に連結固定する。）。
【００６２】
先ず、基礎１の上面から突出する四本のアンカーボルト15を、前記連結孔18に挿通して金具本体２の載置板部17を基礎１の上面に載置し、連結孔18から上方へ突出する各アンカーボルト15に載置板部17の上方からナット19を螺着して締め付けすることで基礎１上に柱脚金具Ａを連結固定する。
【００６３】
次いで、柱Ｂの底部のホゾ穴６に金具本体２のホゾ部３を挿入すると共に支承板部21上に柱Ｂの底部を載置支承して基礎１上に柱Ｂを立設する。
【００６４】
次いで、連通状態となるホゾ部３の差込孔４と柱Ｂの係止孔７とに、柱Ｂの側方からドリフトピン10を打ち込んで挿通係止すると共に、連通状態となるホゾ部３の第二差込孔５と柱Ｂの第二係止孔８とに、柱Ｂの側方からボルト11を差し込んで螺着し、更に柱Ｂの側方から第三係止孔９にドリフトピン12を差し込んでホゾ部３と柱Ｂを連結する。
【００６５】
このように構成した本実施例によれば、柱Ｂが柱脚金具Ａのホゾ部３を挿入した際にホゾ部３の全周を隠蔽する前記ホゾ穴６を有しているため、この柱Ｂは上記特許文献２と同様に耐力的に有利である。
【００６６】
また、このように柱Ｂが耐力的に有利な構成でありながら、上記特許文献２とは異なり、本実施例によれば多くのドリフトピン10，12を柱Ｂに差し込んで柱Ｂをホゾ部３に連結固定できる。即ち、第二係止体11としてのボルト11を柱Ｂに差し込み固定してホゾ部３の一部として機能させ、このボルト11と交差するようにしてホゾ部３（ホゾ穴６）のない範囲にも第三係止体12としてのドリフトピン12を打ち込みすることができるようにしたので、結果柱Ｂの長辺面には１５本ものドリフトピン10，12を略均等に打ち込んで極めて強固にホゾ部３に柱Ｂを連結固定することができた。
【００６７】
これにより、柱Ｂ自体が耐力的に有利である点に加えて、主に柱Ｂの長辺面部分が地震や台風などによる外力に対して大きな抵抗力を発揮できる。
【実施例２】
【００６８】
本発明の具体的な実施例２について図６に基づいて説明する。
【００６９】
本実施例は、柱脚金具Ａのホゾ部３の構成と、このホゾ部３を挿入する柱Ｂ底部のホゾ穴６の形状とを前記実施例１に対して異ならせた場合である。
【００７０】
具体的には、本実施例の柱脚金具Ａは、前記支承板部22の長辺方向に間隔を置いて角柱状のホゾ部３を二本立設状態に突設した構成とし、一方、本実施例の柱Ｂは、前記柱脚金具Ａの二体のホゾ部３に対応させて、底部の二箇所に竪穴状のホゾ穴６を形成している。
【００７１】
また、各ホゾ部３には、支承板部21の長辺部と平行な縦長長方形状をなす正面部の複数箇所（図面では五箇所）に前記差込孔４を貫通形成し、各ホゾ部３の対向外側の側面部に前記第二差込孔５を、この各側面部の複数箇所（図面では各側面部の上部と中ほどの二箇所）に形成している。）。
【００７２】
一方、柱Ｂの周面には、前記各ホゾ部３の各差込孔４に位置と数を対応させて係止孔７を前記ホゾ穴６と連通状態にして形成すると共に、前記各ホゾ部３の各第二差込孔５に位置と数を対応させて第二係止孔８を前記ホゾ穴６と連通状態にして形成している。
【００７３】
また、本実施例では、前記第三係止孔９を、前記第二係止孔８の下方にだけ連設状態に設けて、この第三係止孔９に差し込んだ前記ドリフトピン12が、第二係止孔８に差し込んだボルト11の下方に当接状態で直交配設するように構成した場合を示している。
【００７４】
本実施例は、前記実施例１の柱Ｂよりも横幅のある柱Ｂを連結する場合に用いることが望ましい。
【００７５】
他の構成は、前記実施例１と同様である。
【００７６】
尚、本発明は、実施例１，２に限られるものではなく、各構成要件の具体的構成は適宜設計し得るものである。
【符号の説明】
【００７７】
１  基礎
２  金具本体
３  ホゾ部
４  差込孔
５  第二差込孔
６  ホゾ穴
７  係止孔
８  第二係止孔
９  第三係止孔
10  係止体
11  第二係止体
12  第三係止体
13  固定手段
14  螺子部
Ａ  柱脚金具
Ｂ  柱
【図１】
0005188595.tif 000002
【図２】
0005188595.tif 000003
【図３】
0005188595.tif 000004
【図４】
0005188595.tif 000005
【図５】
0005188595.tif 000006
【図６】
0005188595.tif 000007